(57)【要約】【課題】  フィルタエレメントを効果的に洗浄するためのフィルタ洗浄方法を提供すること。【解決手段】  本発明によるフィルタ洗浄装置は、フィルタエレメント（２）へ下流側から洗浄液を移送する洗浄液移送部（洗浄用冶具８、洗浄液圧力計９、逆止弁１０、洗浄液配管１２、洗浄液ポンプ１３、を含む）と、洗浄液と加圧気体が溜めれられる第１バッファタンク（２０）と、洗浄液より圧力が高い加圧気体が溜められる第２バッファタンク（２１）と、を具備する。  第２バッファタンク（２１）内の加圧気体で、第１バッファタンク（２０）に間欠的に圧力を加え、第１バッファタンク（２０）内の洗浄液を、フィルタエレメント（２）を洗浄する洗浄液に間欠的に圧入することで、フィルタエレメント（２）を洗浄する洗浄液の圧力を間欠的に増加させる。【選択図】  図１
2005169326.tif 000002
【特許請求の範囲】
【請求項１】
洗浄されるフィルタエレメントに、連続的に流される洗浄液の
圧力を、間欠的に上昇させる、
フィルタ洗浄装置。
【請求項２】
前記洗浄液の圧力を、加圧気体により間欠的に上昇させる、
請求項１に記載されたフィルタ洗浄装置。
【請求項３】
フィルタエレメントへ、下流側から洗浄液を連続的に移送する洗浄液移送部と、
気体により前記洗浄液を間欠的に加圧する加圧部と、
を具備する、
フィルタ洗浄装置。
【請求項４】
フィルタエレメントへ、下流側から洗浄液を連続的に移送する洗浄液移送部と
前記洗浄液と加圧気体が溜めれられる第１バッファタンクと、
前記洗浄液より圧力が高い前記加圧気体が溜められる第２バッファタンクと、
を具備し、
前記第２バッファタンク内の前記加圧気体で、前記第１バッファタンクに間欠的に圧力を加え、前記第１バッファタンク内の洗浄液を、前記フィルタエレメントを洗浄する洗浄液に間欠的に圧入することで、前記フィルタエレメントを洗浄する洗浄液の圧力を間欠的に増加させる、
フィルタ洗浄装置。
【請求項５】
前記フィルタエレメントは、含塵ガスの塵を濾過して除塵するフィルタに設置される多孔質のフィルタエレメントである、
請求項１〜４のいずれかに記載されたフィルタ洗浄装置。
【請求項６】
洗浄されるフィルタエレメントに、連続的に流される洗浄液の
圧力を、間欠的に上昇させる、
フィルタ洗浄方法。
【請求項７】
前記洗浄液の圧力を、加圧気体により間欠的に上昇させる、
請求項６に記載されたフィルタ洗浄方法。
【発明の詳細な説明】
【技術分野】
【０００１】
本発明は、フィルタ洗浄装置に関し、特に含塵ガスの塵を多孔質のフィルタで濾過して除塵するフィルタエレメントの洗浄装置に関する。
【背景技術】
【０００２】
多孔質のセラミックまたは金属を用いて、含塵ガスを濾過して除塵するポーラス（多孔質）フィルタが使用されている。運転中のポーラスフィルタの概要が図３を参照して説明される。
【０００３】
圧力容器１内のフィルタ管板５に複数のフィルタエレメント２が設置される。フィルタエレメント２は、筒型（中空円筒形、円錐型、箱型）で、フィルタ管板５の穴に、フィルタ管板５との間に隙間ができてガスがバイパスしないように取付けられる。
フィルタエレメント２は、セラミックまたは金属に代表される多孔質の材料で製作され、この孔を含塵ガスが通る時に、塵が濾過されて除去される。
【０００４】
運転中は、含塵ガス入口ノズル３から含塵ガスが圧入され、含塵ガスはフィルタエレメント２を通って除塵され、クリーンガスとなってクリーンガス出口ノズル４から吐出される。この時、塵はフィルタエレメントの外表面に付着する。
ポーラスフィルタを長時間使用すると、付着した塵が増加し、孔が目詰まりして圧力損失が大きくなるため、定期的にフィルタエレメントを洗浄する必要がある
【０００５】
運転中、フィルタエレメント２の下流（クリーン）側から高圧の不活性ガスなどを通して逆洗する方法が用いられることがある。しかし、運転中に経時的な目詰まりによる圧力損失の上昇を根本的に能力を再生させるためのフィルタエレメント２の洗浄は、運転を停止した時に行なわれる。
代表的な洗浄方法としては、マンホール６を開放し、フィルタエレメント２を取外して、圧力容器１の外でウォータジェットで洗浄する方法、洗浄液で洗浄する方法がある。付着している物質によっては、その付着物を除去するための洗浄液が使用される。
【０００６】
フィルタエレメント２を取外すことは労力が掛かるため、フィルタエレメント２を取外さないで洗浄する方法が採用される場合がある。フィルタエレメント２を取外さないで洗浄する従来の方法が図４に示される。フィルタエレメント２の上部に洗浄用冶具８を取付け、通常運転する場合のフィルタの下流（クリーン）側から洗浄液ポンプ１３で洗浄液を流すことにより、フィルタエレメント２の汚れを除去する。洗浄後の洗浄液は排水ノズル７から排水槽に排出される。
【０００７】
洗浄液は、ガスに比べ密度、粘性が高く洗浄効果がある液体が使用されることが好ましい。
洗浄液に関する発明が、特許文献１に開示されている。
【特許文献１】特開平５−３０９２２１号公報
【０００８】
高圧気体と組合わせて洗浄力を向上させる方法が、特許文献２に開示されている。
洗浄水と圧縮空気を同時に供給し、ジェット水流を生じさせて洗浄する方法が特許文献３に開示されている。
【特許文献２】特開平５−２８５３５４号公報
【特許文献３】特公平７−６３５６９号公報
【０００９】
通常、洗浄液の全流量は管理されないか、もしくは、使用される洗浄液ポンプの吐出流量により決まる。この場合、フィルタエレメント２に掛かる圧力は、汚れの減少と共に減少する。
圧力の減少した状態では、細孔に詰ている汚れに掛かる圧力が小さく、また、フィルタエレメント２の細孔での洗浄液の流速も下がるため洗浄効率が下がってしまう。
また、通常の洗浄の場合、洗浄液の圧力の急激な変動は発生しない。
【００１０】
洗浄効率を上げるためには、洗浄液の圧力を上げることが望ましい。
汚れの一部が落ちても洗浄液の圧力を高く維持するためには、十分な能力の洗浄液ポンプ１３が必要である。しかし、洗浄液ポンプ１３の容量を大きくすることは、設備や設置のコスト増が発生する。
【発明の開示】
【発明が解決しようとする課題】
【００１１】
本発明の目的は、フィルタエレメントを効果的に洗浄するための、フィルタ洗浄方法を提供することにある。
【課題を解決するための手段】
【００１２】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１３】
本発明によるフィルタ洗浄装置は、洗浄されるフィルタエレメント（２）に連続的に流される洗浄液の圧力を、間欠的に上昇させる。
【００１４】
上記フィルタ洗浄装置は、洗浄液の圧力を、加圧気体により間欠的に上昇させる。
【００１５】
本発明によるフィルタ洗浄装置は、フィルタエレメント（２）へ、下流側から連続的に洗浄液を移送する洗浄液移送部と、加圧気体により洗浄液を間欠的に加圧する加圧部と、を備える。
洗浄液移送部は、洗浄用冶具（８）、洗浄液圧力計（９）、逆止弁（１０）、洗浄液配管（１２）、洗浄液ポンプ（１３）、を含む。加圧部は、第１バッファタンク（２０）、第２バッファタンク（２１）、コンプレッサ（２２）、第１バルブ（２３）、第２バルブ（２４）、第３バルブ（２５）、加圧気体圧力計（２６）、演算装置（２７）、（第１バッファタンクの）レベル計（２８）を含む。
【００１６】
本発明によるフィルタ洗浄装置は、フィルタエレメント（２）へ、下流側から連続的に洗浄液を移送する洗浄液移送部（洗浄用冶具８、洗浄液圧力計９、逆止弁１０、洗浄液配管１２、洗浄液ポンプ１３、を含む）と、洗浄液と加圧気体が溜めれられる第１バッファタンク（２０）と、洗浄液より圧力が高い加圧気体が溜められる第２バッファタンク（２１）と、を具備する。
第２バッファタンク（２１）内の加圧気体で、第１バッファタンク（２０）に間欠的に圧力を加え、第１バッファタンク（２０）内の洗浄液を、フィルタエレメント（２）を洗浄する洗浄液に間欠的に圧入することで、フィルタエレメント（２）を洗浄する洗浄液の圧力を間欠的に増加させる。
【００１７】
上記フィルタ洗浄装置で洗浄されるフィルタエレメントは、含塵ガスの塵を濾過して除塵するフィルタに設置される多孔質のフィルタエレメントである。
【００１８】
本発明のフィルタ洗浄方法は、洗浄されるフィルタエレメント（２）に連続的に流される洗浄液の圧力を、間欠的に上昇させる。
【００１９】
上記フィルタ洗浄方法は、洗浄液の圧力を、加圧気体により間欠的に上昇させる。
【発明の効果】
【００２０】
本発明は、フィルタエレメントを効果的に洗浄するための、フィルタ洗浄方法を提供することができる。
【発明を実施するための最良の形態】
【００２１】
添付図面を参照して、本発明によるポーラスフィルタ洗浄装置の実施の形態を以下に説明する。
本実施例のポーラスフィルタは、石炭ガス化複合発電装置において、石炭をガス化させて生成した可燃性ガスをガスタービンに供給する工程のガスタービン上流に設置され、可燃性ガス中の塵を除去するためのポーラスフィルタを例に説明されるが、このタイプに限定されない。
【００２２】
本発明のポーラスフィルタ洗浄の概要が、図１を参照して説明される。
本発明のポーラスフィルタ洗浄方法は、洗浄のためフィルタエレメントに掛ける洗浄液の圧力を、加圧気体により間欠的に変化させ、洗浄能力を向上させている。
【００２３】
ポーラスフィルタは、圧力容器１、フィルタエレメント２、含塵ガス入口ノズル３、クリーンガス出口ノズル４、フィルタ管板５、マンホール６、排水ノズル７を備える。
【００２４】
圧力容器１は、ポーラスフィルタの外殻の容器であり、内圧に耐えられるよう製作されている。図１では、上部ヘッド部が、偏平した半球形、胴部が円柱形、下部ヘッド部が下向きの円錐形の形状の縦型圧力容器が示されているが、フィルタの容器であれば図示された形状に限定されない。
【００２５】
フィルタエレメント２は、セラミックや金属で代表される多孔質の材料で作成され、円筒形（中空円筒形、箱型、円錐形を含む）である。フィルタエレメント２は、フィルタ管板５の穴に、開口部を上部にして、フィルタ管板５との間に隙間ができて含塵ガスがバイパスしないよう取付けられる。含塵ガスがフィルタエレメント２の外側から内側に細孔を通って通過する時に、塵が濾過され除去される。
【００２６】
運転中は、含塵ガス入口ノズル３から、含塵ガスが圧入され、フィルタエレメント２で濾過されたクリーンガスが、クリーンガス出口ノズル４から吐出される。
【００２７】
フィルタ管板５は、圧力容器１内部を水平に分割するように設置されている胴断面の形状をした板である。フィルタ管板５と圧力容器１の内壁の間は溶接またはパッキン等でシールされている。フィルタ管板５にはフィルタエレメント２を取付ける穴が開けられている。フィルタ管板５は、フィルタエレメント２の重量もしくはフィルタエレメント２で生じる圧力差に耐えられるように設置されている。
【００２８】
マンホール６は、当該ポーラスフィルタの停止中に、メンテナンスのため人が入槽するための、もしくは洗浄用冶具８や洗浄液配管１２を、ポーラスフィルタ内に搬入するための開口部である。マンホール６から、取外されたフィルタエレメントが搬出・搬入される場合もある。マンホール６は、運転中は、マンホールカバーで閉じられている。
図１では、マンホール６はヘッドの頭頂部に取付けられているが、フィルタ管板５より上部であれば、頭頂部に限定されない。
【００２９】
排水ノズル７は、洗浄した後の洗浄液（排液）を排出するためのノズルである。排水ノズル７は、通常、圧力容器１の最下部に設置される。
【００３０】
ポーラスフィルタ洗浄装置は、洗浄用冶具８、洗浄液圧力計９、逆止弁１０、洗浄液配管１２、洗浄液ポンプ１３、第１バッファタンク２０、第２バッファタンク２１、コンプレッサ２２、第１バルブ２３、第２バルブ２４、第３バルブ２５、加圧気体圧力計２６、演算装置２７、（第１バッファタンクの）レベル計２８を具備する。
【００３１】
洗浄液ポンプ１３と洗浄用冶具８が、洗浄液配管１２で接続される。洗浄液配管１２上には逆止弁１０が設置される。逆止弁１０と洗浄用冶具８の間の洗浄液配管１２は分岐され、第１バッファタンク２０の下部ノズルと接続される。
第１バッファタンク２０の上部ノズルと第２バッファタンク２１が、加圧配管Ｌ１で接続される。加圧配管Ｌ１上に第１バルブ２３が設置される。第１バルブ２３と第１バッファタンク２０の間の加圧配管Ｌ１が分岐され第２バルブ２４が設置される。第２バルブ２４の一方は大気に開放される。第１バルブ２３と第２バッファタンク２１の間が分岐され第３バルブ２５が設置される。第３バルブ２５の一方は大気に開放される。第２バッファタンク２１もしくは、第１バルブ２３と第２バッファタンク２１の間の加圧配管Ｌ１に、加圧気体圧力計２６が設置される。第２バッファタンク２１とコンプレッサ２２が加圧配管Ｌ２で設置される。
【００３２】
洗浄用冶具８は、洗浄液配管１２とフィルタエレメント２を接続する冶具である。洗浄用冶具８は、洗浄液を、下流側（クリーン側・内側）からフィルタエレメント２へ流すように設置される。洗浄用冶具８は、既定の圧力を掛けても、フィルタエレメント２もしくはフィルタ管板５との間から洗浄液が漏れないように取付けられる。洗浄用冶具８は、全てのフィルタエレメント２をカバーする形状の場合、または、複数本もしくは一本のフィルタエレメント２に洗浄液を流す形状の場合もある。複数本のフィルタエレメント２に洗浄液を流す形状の場合、洗浄用冶具８のフィルタエレメント２との接続部分は、フィルタエレメント２各々に接続されるよう分岐していてもよいし、複数本に供給できる形状でもよい。
一度に洗浄するフィルタエレメント２の数は、洗浄液ポンプ１３の能力と洗浄する圧力、フィルタエレメント２の大きさに関係する。
【００３３】
洗浄液圧力計９は、逆止弁１０と洗浄用冶具８の間の洗浄液配管１２上に設置され、フィルタエレメント２に圧入される洗浄液の圧力を検出し、検出結果を演算装置２７へ送信する。
【００３４】
逆止弁１０は、洗浄液配管１２上に設置され、洗浄液が洗浄液ポンプ１３へ逆流するのを防止する。本発明では、洗浄液を気体で加圧するため、洗浄液ポンプ１３へ吐出側から圧が掛かるのを防止する。
【００３５】
洗浄液配管１２は、洗浄液ポンプ１３と洗浄用冶具８を接続して洗浄液を移送する配管である。洗浄液配管１２の途中に、洗浄液圧力計９、逆止弁１０、が設置される。また、逆止弁１０の下流で、第１バッファタンク２０の下部ノズルと接続する配管が分岐する。
【００３６】
洗浄液ポンプ１３は、洗浄液をフィルタエレメント２へ圧入するためのポンプである。洗浄液を目的の圧力で圧入することができればポンプに限定されず、高所に設置した洗浄液槽なども使用可能である。
【００３７】
第１バッファタンク２０は、ある容量をもった圧力容器である。第１バッファタンク２０の下部ノズルは、逆止弁１０下流の洗浄液配管１２と接続される。第１バッファタンク２０の上部ノズルは、第２バッファタンク２１と加圧気体配管Ｌ１で接続され、第１バッファタンク２０と第２バッファタンク２１の間には第１バルブ２３が設置される。
第１バッファタンク２０には、レベル計２８が設置され、レベル情報を演算装置２７へ送信する。
第１バッファタンク２０は、第１バルブ２３が閉の状態で、洗浄液と加圧気体がバランスしている。第１バルブ２３が開くことにより、第２バッファタンク２１の加圧気体の圧力により第１バッファタンク２０が加圧される。この時、第１バッファタンク内の洗浄液が押し出され、フィルタエレメント２に掛かる洗浄液が加圧される。
【００３８】
第２バッファタンク２１は、ある容量をもった圧力容器である。第２バッファタンク２１は、コンプレッサ２２からの加圧気体を溜めて、第１バルブ２３が開くことにより、第１バッファタンク２０を加圧する。
【００３９】
コンプレッサ２２は、気体を加圧して第２バッファタンク２１へ移送する。気体は、空気でも不活性ガスなどの洗浄液に難溶および無反応の気体でもよい。圧力を掛けることができれば、コンプレッサ２２に限定されずボンベなどでもよい。
【００４０】
第１バルブ２３は、制御弁で第１バッファタンク２０と第２バッファタンク２１の間に設置される。第１バルブ２３が開となることで、第２バッファタンク２１の圧力で、第１バッファタンク２０が加圧される。第１バルブ２３は、レベル計２８の値、洗浄液圧力計９の値、もしくは既定の時間により、演算装置２７で開閉が制御される。
【００４１】
第２バルブ２４は、第１バッファタンク２０の圧力調節用の制御弁で、大気と第１バッファタンク２０の間に設置される。図１では第１バッファタンク２０と第１バルブ２３の間の加圧気体配管Ｌ１が分岐され、第２バルブ２４が設置されている。第２バルブ２４は演算装置２７により制御される。
第１バルブ２３が閉の状態で、第１バッファタンク２０の洗浄液レベルが既定値以下に下がっている場合、第１バッファタンク２０の洗浄液レベルを調整するため、第２バルブ２４が開かれ第１バッファタンク２０内の気体が抜かれる。既定のレベルまで第１バッファタンク２０内の洗浄液のレベルが上がれば第２バルブが閉止される。
【００４２】
第３バルブ２５は、第２バッファタンク２１の圧力調節用の制御弁で、大気と第２バッファタンク２１の間に設置される。図１では第２バッファタンク２１と第１バルブ２３の間の加圧気体配管Ｌ１が分岐され、第３バルブ２５が設置されている。第２バッファタンク２１の圧を調整するため、加圧気体圧力計２６の値により開閉される。第２バッファタンク２１の圧力は、第１バルブ１を開放した時、フィルタエレメント２に圧力が掛かり過ぎないように決められる。第３バルブ２５は、一定の圧力以上になったら加圧気体を大気に放出するばね式の圧力調整弁弁などでもよい。
【００４３】
加圧気体圧力計２６は、圧力計で第２バッファタンク２１の圧力を測定する。加圧気体圧力計２６の測定結果は、第３バルブ２５の制御に使用される。
【００４４】
演算装置２７は、洗浄液圧力計９、レベル計２８の検出値をもとに、第１バルブ２３、第２バルブ２４の開閉を制御する。
演算装置２７は、洗浄液圧力計９の値が既定値まで上がった時、または、レベル計２８の値が既定値まで下がった時に第１バルブ２３を閉止し、洗浄液圧力計９の値が規定値まで下がった時に、第１バルブ２３を開放する。第１バルブ２３の開閉は時間で調整される場合もある。
また、演算装置２７は、第１バルブ２３が閉止の状態で、レベル計２８の洗浄液のレベルが既定のレベルまで下がっている時、既定のレベルまで液面を上げるため、第２バルブを開放する。
【００４５】
レベル計２８は、第１バッファタンク２０内の洗浄液のレベルを測定する。第１バッファタンク２０を加圧した時に、加圧気体がフィルタエレメント２に流れる洗浄液に混入しないよう液のレベルが調整される。加圧気体が洗浄液とフィルタエレメント２に流入しても特に問題はない。
【００４６】
排水槽１５は、ポーラスフィルタから排出された排液を溜めておく容器である。
【００４７】
（動作の説明）
次に、本発明のポーラスフィルタ洗浄装置の動作が説明される。
【００４８】
洗浄液ポンプ１３により、洗浄液がフィルタエレメント２に連続的に圧送される。
この時、第１バルブ２３が、間欠的に開閉することにより、第２バッファタンク２１の圧力が第１バッファタンク２０に掛かり、第１バッファタンク内の洗浄液が押し出され、洗浄液に圧力の圧力が上昇する。洗浄液圧力計９の圧力が既定値まで上昇すれば、もしくは第１バッファタンク２０の液レベルが既定値まで下がれば、演算装置２７により第１バルブ２３は閉止される。または、既定の時間で第１バルブ２３は閉止される。
【００４９】
このとき、フィルタエレメント２に掛かる圧力は図２の上図に示されるように第１バルブ２３が開放されることにより急激に上昇し、なだらかに低下する。
このように、フィルタエレメント２に掛かる圧力が変化すると、圧力が上がった時に、フィルタエレメント２の汚れに圧力が掛かり、かつ、圧力が急激に増加することでその衝撃により汚れが剥離する。図２の下図に示されるように、圧力が上昇した時に、フィルタエレメント２の汚れ係数は急激に減少する。
【００５０】
第１バルブ２３が閉止されると、再度、第２バッファタンク２１にコンプレッサ２２から、加圧気体が溜められる。第２バッファタンク２１の圧力は第１バルブ２３を開放した時、洗浄液に適度な圧力が掛かるように加圧気体圧力計２６と第３バルブ２５で調整される。上記の適度な圧力は、具体的には、フィルタエレメント２の許容圧力などにより決められる。
【００５１】
第１バルブ２３が閉止された時、第１バッファタンク２０の液レベルが既定値より下がっていれば、制御部２７により第２バルブ２４が開けられ、第１バッファタンク２０内の加圧気体が大気に放出され、洗浄液のレベルが上昇する。
【００５２】
第２バッファタンク２１に適当な圧力気体が溜められ、第１バッファタンク２０の液レベルが既定値となった状態で、再び第１バルブ２３が開けられる。
以上の工程を繰り返す。
【００５３】
上記のように、第１バルブ２３を開閉することで、洗浄液の圧力を変化させることができる。第１バルブ２３の開閉を繰り返すことで、洗浄効果が向上する。
【００５４】
上記のポーラスフィルタ装置では、洗浄液ポンプ１３の加圧に加え加圧気体で洗浄液を加圧するので、洗浄液ポンプ１３の容量を小さくすることができる。
【００５５】
また、洗浄液の加圧に気体を使用するため各バッファタンクを小さくすることができ、不要な衝撃も吸収することができる。
【００５６】
上記のポーラスフィルタ洗浄装置では、フィルタエレメント２に掛かる洗浄液の圧力が間欠的に上昇する。
通常、洗浄時に洗浄液の圧力は管理されず、洗浄するために効果的でない圧力に減少した状態で洗浄が継続される場合がある。
具体的には、連続的に洗浄水を流す方法では、汚れの多い洗浄開始時はフィルタエレメント２の圧力損失が高いので洗浄液の圧力が高いが、汚れの一部が落ちることによりフィルタエレメント２での圧力損失が下がり、フィルタエレメント２に掛かる圧力が下がる。このまま洗浄を続けても、汚れが落ちた部分に流量が集中してしまい、圧力が低下しているため、フィルタエレメント２の細孔に詰まっている汚れに掛かる圧力は下がり、同時に、細孔を通る洗浄液の速度は遅くなる。このため、洗浄効果は低下する。
【００５７】
本発明のフィルタ洗浄装置は、フィルタエレメント２の細孔に掛かる洗浄液の圧力及び細孔を通る洗浄液の流速に相関関係を持つ洗浄液の圧力を上げるため、洗浄効果を上げるのに効果がある。また、圧力を間欠的に変化させることは、そのショックにより洗浄力が期待できる。
さらに、加圧気体で加圧する圧力を加えるため、洗浄液ポンプだけの時に比べ、洗浄液ポンプの容量を小さくすることができる。
【００５８】
上記の実施例では、本発明のポーラスフィルタ洗浄装置を使用するポーラスフィルタとして、石炭ガス化複合発電装置の燃焼ガス除塵用のポーラスフィルタが例示されている。このポーラスフィルタは、数十センチ径、数メートルの長さのエレメントが数百本組み込まれた大規模な装置である。このため、この装置内のエレメントを洗浄のたびにフィルタの外に取り出すことは経済的負荷が大きいことから、上記のようなエレメントを設置したまま、効果的に洗浄する方法は経済上の効果が大きい。
また、洗浄液を間欠的に加圧して洗浄する方法は、連続的に加圧する場合より、洗浄効果が大きく、取れ難い汚れの除去や洗浄時間短縮に効果的である。
【００５９】
上記の実施例では、本発明のポーラスフィルタ洗浄装置を使用するポーラスフィルタとして、石炭ガス化複合発電装置の燃焼ガス除塵用のポーラスフィルタが例示されているが、この型のポーラスフィルタに限定されず、一定の逆洗圧力に耐えられるフィルタエレメント及び濾材を使用して濾過を行なうフィルタであれば適用可能である。
具体的には、加圧流動床用除塵フィルタやダスト除去用キャンドル型ポーラスフィルタ等に適用できる。
【００６０】
さらに、本発明による洗浄液の圧力を変動させてフィルタエレメント２を洗浄する方法は、フィルタエレメント２をポーラスフィルタ本体から取外して洗浄する場合でも適用することができる。
【図面の簡単な説明】
【００６１】
【図１】本発明のポ−ラスフィルタ洗浄の実施の形態１の概要図である。
【図２】フィルタエレメントに掛かる圧力と、汚れ係数の関係を示すグラフである。
【図３】ポーラスフィルタの運転時の概要図である。
【図４】従来のポーラスフィルタの洗浄の概要図である。
【符号の説明】
【００６２】
１  圧力容器
２  フィルタエレメント
３  含塵ガス入口ノズル
４  クリーンガス出口ノズル
５  フィルタ管板
６  マンホール
７  排水ノズル
８  洗浄用冶具
９  洗浄液圧力計
１０  逆止弁
１２  洗浄液配管
１３  洗浄液ポンプ
１５  排水槽
２０  第１バッファタンク
２１  第２バッファタンク
２２  コンプレッサ
２３  第１バルブ
２４  第２バルブ
２５  第３バルブ
２６  加圧気体圧力計
２７  演算装置
２８  （第１バッファタンク）レベル計
【図１】
2005169326.tif 000003
【図２】
2005169326.tif 000004
【図３】
2005169326.tif 000005
【図４】
2005169326.tif 000006